(57)【要約】      （修正有）【課題】就寝時に例えば頭部、背中等の冷却用として使用感が良好であり、しかも、製造容易なマット状保冷具を提供する。【解決手段】マット状保冷具は、布製又は合成樹脂製で四角形状の外被材を用いてその対向する２辺を連結して連結部として筒状形態とするとともに、当該筒状形態の内部に、連結部の方向に沿い、かつ、一定間隔をもった複数の仕切り部４により区画して両端が開口した複数の四角形状を呈する筒状個別収容部を形成しマット状に構成した四角形状の外装体２とにより形成する。さらに、布製又は合成樹脂製からなる保冷パック用封止材を用いて、平面から見て四角形状を呈し、かつ、四辺部を封止した袋体状に形成され、内部に保冷媒体を封入した筒状個別収容部のほぼ全体を占めるサイズに形成され、外装体２の各開口から各筒状個別収容部に収納される四角形状の保冷パック体２１と、外装体２の四辺外周部を封止する逢着部１１とを設ける。【選択図】図１
0003167422.tif 000002
【実用新案登録請求の範囲】
【請求項１】
外被材を筒状形態に形成するとともに、当該筒状形態とした外被材を更に複数の仕切り部により区画して両端が開口した複数の筒状個別収容部を設けた外装体と、
ジェルを含む保冷媒体を内部に封入して前記外装体の前記各開口から各筒状個別収容部に収納される複数の保冷パック体と、
前記外装体の外周部を封止する逢着部と、
を有することを特徴とするマット状保冷具。
【請求項２】
繊維、綿、ポリエステル、レーヨン、麻、起毛生地、ちりめん、楊柳、タオル地、ナイロン、ポリ塩化ビニル等から選定される素材からなる四角形状の外被材を用いて筒状形態に形成とするとともに、当該筒状形態の内部に、一定間隔をもった複数の仕切り部により区画して両端が開口した複数の四角形状を呈する筒状個別収容部を形成しマット状に構成した四角形状の外装体と、
繊維、綿、ポリエステル、レーヨン、麻、起毛生地、ちりめん、楊柳、タオル地、ナイロン、ポリ塩化ビニル等から選定される素材からなる保冷パック用封止材を用いて、平面から見て四角形状を呈し、かつ、四辺部を封止した袋体状に形成され、内部にジェル、ポリアクリル酸ナトリウム、硫酸アンモニウム、硫酸ナトリウム、グリセリン、水、防カビ剤を含む保冷媒体を封入し、前記外装体の各開口から各筒状個別収容部に並列に収納される複数の四角形状の保冷パック体と、
前記外装体の四辺外周部を封止する逢着部と、
を有することを特徴とするマット状保冷具。
【請求項３】
繊維、綿、ポリエステル、レーヨン、麻、起毛生地、ちりめん、楊柳、タオル地、ナイロン、ポリ塩化ビニル等から選定される素材からなる四角形状の外被材を用いてその対向する２辺を連結して筒状形態に形成するとともに、当該筒状形態の内部に、前記連結部分の方向に沿い、かつ、一定間隔をもった複数の仕切り部により区画して両端が開口した複数の四角形状を呈する筒状個別収容部を形成したマット状に形成され、枕用サイズ、シーツ用サイズ又はこれらの中間寸法のハーフサイズ、更にカーシートサイズや座布団サイズ、ワイン保冷用シートサイズ等のうちから選定されるサイズに構成した四角形状の外装体と、
繊維、綿、ポリエステル、レーヨン、麻、起毛生地、ちりめん、楊柳、タオル地、ナイロン、ポリ塩化ビニル等から選定される素材からなる保冷パック用封止材を用い、平面から見て四角形状を呈し、かつ、四辺部を封止した袋体状に形成され、内部にジェル、ポリアクリル酸ナトリウム、硫酸アンモニウム、硫酸ナトリウム、グリセリン、水、防カビ剤を含む保冷媒体を封入し、前記外装体の前記各開口から各筒状個別収容部に並列に収納される複数の四角形状の保冷パック体と、
前記外装体の四辺外周部を封止する逢着部と、
を有することを特徴とするマット状保冷具。
【請求項４】
繊維、綿、ポリエステル、レーヨン、麻、起毛生地、ちりめん、楊柳、タオル地、ナイロン、ポリ塩化ビニル等から選定される素材からなる四角形状の外被材を用いてその対向する２辺を連結して筒状形態に形成するとともに、当該筒状形態の内部に、前記連結部分の方向に沿い、かつ、一定間隔をもった複数の仕切り部により区画して両端が開口した複数の四角形状を呈する筒状個別収容部を形成したマット状に形成され、枕用サイズ、シーツ用サイズ又はこれらの中間寸法のハーフサイズ、更にカーシートサイズや座布団サイズ、ワイン保冷用シートサイズ等のうちから選定されるサイズに構成した四角形状の外装体と、
繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する四角形状の２枚の被覆材同士を、前記裏地同士を重ね合わせて裏地同士の高周波加熱により外周圧着部、内部領域の複数箇所の部分圧着部を有する袋体状に形成され、内部にジェル、ポリアクリル酸ナトリウム、硫酸アンモニウム、硫酸ナトリウム、グリセリン、水、防カビ剤を含む保冷媒体を封入し、前記外装体の前記各開口から各筒状個別収容部に並列に収納される複数の四角形状の保冷パック体と、
前記外装体２の四辺外周部を封止する逢着部と、
を有することを特徴とするマット状保冷具。
【請求項５】
繊維、綿、ポリエステル、レーヨン、麻、起毛生地、ちりめん、楊柳、タオル地、ナイロン、ポリ塩化ビニル等から選定される素材からなる四角形状の外被材を用いてその対向する２辺を連結して筒状形態とするとともに、当該筒状形態の内部に、前記連結部分の方向に沿い、かつ、一定間隔をもった複数の仕切り部により区画して両端が開口した複数の四角形状を呈する筒状個別収容部を形成したマット状に形成され、枕用サイズ、シーツ用サイズ又はこれらの中間寸法のハーフサイズ等のうちから選定されるサイズに構成した四角形状の外装体と、
繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する四角形状の２枚の被覆材同士を、前記裏地同士を重ね合わせて裏地同士の高周波加熱により外周圧着部、内部領域の複数箇所の部分圧着部を有する袋体状に形成され、内部にジェル、ポリアクリル酸ナトリウム、硫酸アンモニウム、硫酸ナトリウム、グリセリン、水、防カビ剤を含む保冷媒体を封入し、前記外装体の前記各開口から各筒状個別収容部に並列に収納される複数の四角形状の保冷パック体と、
前記外装体２の四辺外周部を封止する逢着部と、
を有するマット状保冷具であって、
前記外装体の外形サイズを、横幅４０ｃｍ×縦幅３０ｃｍ若しくは横幅４０ｃｍ×縦幅４５ｃｍの枕用サイズ、横幅９０ｃｍ×縦幅１８０ｃｍのシーツ用サイズ、横幅９０ｃｍ×縦幅９０ｃｍのハーフサイズ、又は横幅９０ｃｍ×縦幅６０ｃｍ若しくは横幅９０ｃｍ×縦幅７５ｃｍのハーフサイズと枕用サイズとの間のサイズのいずれかとしたことを特徴とするマット状保冷具。
【請求項６】
外被材を四角形状の筒状形態に形成するとともに、当該筒状形態とした外被材を更に複数の仕切り部により区画して両端が開口した複数の四角形状を呈する筒状個別収容部を設けた外装体と、
ジェルを含む保冷媒体を内部に封入して前記外装体の各開口から各筒状個別収容部に自在に収納又は取り外しできるようにした複数の四角形状の保冷パック体と、
前記外装体の四辺のうち、前記各筒状個別収容部の各開口部分の一方側及び残りの２辺の外周部、又は前記各筒状個別収容部の両端の各開口部分を除く２辺の外周部を封止する逢着部と、
を有し、
前記四角形状の外装体の開口部分を前記複数の保冷パック体用の複数の挿脱口としたことを特徴とするマット状保冷具。
【請求項７】
布製又は合成樹脂製で四角形状の外被材を用いて筒状形態に形成するとともに、当該筒状形態の内部に、一定間隔をもった複数の仕切り部により区画して両端が開口した複数の四角形状を呈する筒状個別収容部を形成しマット状に構成した四角形状の外装体と、
布製又は合成樹脂製からなる保冷パック用封止材を用いて、平面から見て四角形状を呈し、かつ、四辺部を封止した袋体状に形成され、内部に硬度が硬軟に異なる複数の保冷媒体群から選定される保冷媒体を封入し、前記外装体の各開口から各筒状個別収容部に自在に収納又は取り外しできるようにした複数の四角形状の保冷パック体と、
前記外装体の四辺のうち、前記各筒状個別収容部の各開口部分の一方側及び残りの２辺の外周部、又は前記各筒状個別収容部の両端の各開口部分を除く２辺の外周部を封止する逢着部と、
を有し、
前記四角形状の外装体の開口部分を前記複数の保冷パック体用の複数の挿脱口としたことを特徴とするマット状保冷具。
【請求項８】
布製又は合成樹脂製で四角形状の外被材を用いてその対向する２辺を連結して筒状形態とするとともに、当該筒状形態の内部に、前記連結部分の方向に沿い、かつ、一定間隔をもった複数の仕切り部により区画して両端が開口した複数の四角形状を呈する筒状個別収容部を形成しマット状に構成した四角形状の外装体と、
布製又は合成樹脂製からなる保冷パック用封止材を用いて、平面から見て四角形状を呈し、かつ、四辺部を封止した袋体状に形成され、内部に硬度が硬軟に異なる複数の保冷媒体群から選定される保冷媒体を封入し、前記外装体２の前記各開口から各筒状個別収容部に自在に収納又は取り外しできるようにした複数の四角形状の保冷パック体と、
前記外装体の四辺のうち、前記各筒状個別収容部の各一辺側を除く三辺の外周部を封止する逢着部と、
前記四角形状の外装体の残る一辺側に配置した前記外装体の複数の挿脱口に連通する前記複数の保冷パック体用の開閉可能な挿脱口を形成する線ファスナ又は面ファスナを用いた開閉具と、
を有することを特徴とするマット状保冷具。
【請求項９】
布製又は合成樹脂製で四角形状の外被材を用いてその対向する２辺を連結して筒状形態とするとともに、当該筒状形態の内部に、前記連結部分に沿う方向で、一定間隔をもった複数の仕切り部と、前記連結部分の中央位置でかつ前記連結部分に直交する方向で一定間隔をもった中央仕切り部と、により区画して中央仕切り部を挟む両端が開口した複数の四角形状を呈する中央仕切り部の両側に列設状態の形態の筒状個別収容部を形成しマット状に構成した四角形状の外装体と、
布製又は合成樹脂製からなる保冷パック用封止材を用いて、平面から見て四角形状を呈し、かつ、四辺部を封止した袋体状に形成され、内部に硬度が硬軟に異なる複数の保冷媒体群から選定される保冷媒体を封入し、前記外装体の前記各開口から各筒状個別収容部に自在に収納又は取り外しできるようにした複数の四角形状の保冷パック体と、
前記外装体の四辺のうちの２辺である前記連結部分及びこの連結部分の反対側の辺部の外周部を封止する逢着部と、
を有し、
前記四角形状の外装体の残る二辺側を前記複数の保冷パック体用の複数の挿脱口としたことを特徴とするマット状保冷具。
【請求項１０】
布製又は合成樹脂製で四角形状の外被材を用いてその対向する２辺を連結して筒状形態とするとともに、当該筒状形態の内部に、前記連結部分に沿う方向で、一定間隔をもった複数の仕切り部と、前記連結部分の中央位置でかつ前記連結部分に直交する方向で一定間隔をもった中央仕切り部と、により区画して中央仕切り部を挟む両端が開口した複数の四角形状を呈する中央仕切り部の両側に列設状態の形態の筒状個別収容部を形成しマット状に構成した四角形状の外装体と、
布製又は合成樹脂製からなる保冷パック用封止材を用い、平面から見て四角形状を呈し、かつ、四辺部を封止した袋体状に形成され、内部に硬度が硬軟に異なる複数の保冷媒体群から選定される保冷媒体を封入し、前記外装体の前記各開口から各筒状個別収容部に自在に収納又は取り外しできるようにした複数の四角形状の保冷パック体と、
前記外装体の四辺のうちの２辺である前記連結部分及びこの連結部分の反対側の辺部の外周部を封止する逢着部と、
前記外装体の四辺のうち、残る二辺に各々配置されるとともに、前記の外装体の複数の挿脱口に連通する前記複数の保冷パック体用の複数の開閉可能な挿脱口を形成する線ファスナ又は面ファスナを用いた開閉具と、
を有することを特徴とするマット状保冷具。
【考案の詳細な説明】
【技術分野】
【０００１】
本考案は、マット状保冷具に関し、詳しくは、ジェルを含む保冷媒体の保冷効果を利用し人体各部の冷却用として使用し得るとともに、使用感が良好であり、製造容易な簡略構造からなるマット状保冷具に関するものである。
【背景技術】
【０００２】
従来からジェルを含む保冷媒体を枕用サイズ、敷布団サイズ、シーツサイズ等の外装体内に収納して冷却パッドを構成して、高温期の就寝時等において、この保冷具を枕に被せて頭部を冷却したりベッド上に載置して身体の背中等を冷却したりすることが行われている。
【０００３】
特許文献１、２には、ラミネートフィルム内にゲル状の蓄熱材を封入した蓄熱材パックと、多数の蓄熱材パックを多数の収容室の内部に整列して収容する四角形状のカバーとを備え、蓄熱材パックの周縁をカバーに対して固着した構成からなる蓄熱材マットが提案されている。
【０００４】
しかし、特許文献１、２の蓄熱材マットの場合、カバーに縦横配列に多数の収容室を形成し、各収容室に蓄熱材パックを各々収容して各蓄熱材パックの周囲を境界部分として縫製し区画する構成であり、製造工程がかなり煩雑になるものである。
【先行技術文献】
【特許文献】
【０００５】
【特許文献１】特開２００９−１４８４５５号公報
【特許文献２】特開２０１０−３５６７６号公報
【考案の概要】
【考案が解決しようとする課題】
【０００６】
本考案が解決しようとする問題点は、使用者が就寝時に、例えば頭部、背中等の冷却用として好適に使用し得るとともに、使用感が良好であり、しかも、製造容易な簡略構造からなるマット状保冷具が存在しない点である。
【課題を解決するための手段】
【０００７】
本考案に係るマット状保冷具は、外被材を両端が開口した状態の筒状形態に形成するとともに、当該筒状形態とした外被材を更に複数の仕切り部により区画して両端が開口した複数の筒状個別収容部を設けた外装体と、ジェルを含む保冷媒体を内部に封入して前記外装体の前記各開口から各筒状個別収容部に収納される複数の保冷パック体と、前記外装体の外周部を封止する逢着部と、を有することを最も主要な特徴とする。
【考案の効果】
【０００８】
請求項１記載の考案によれば、保冷パック体の保冷作用を利用して就寝時の身体の冷却用として好適に使用し得るとともに、使用感が良好であり、また、外装体に筒状個別収容部を設け、保冷パック体を各筒状個別収容部に収容するようにしているので、製造容易なマット状保冷具を実現し提供することができる。
【０００９】
請求項２記載の考案によれば、繊維、綿、ポリエステル、レーヨン、麻、起毛生地、ちりめん、楊柳、タオル地、ナイロン、ポリ塩化ビニル等から選定される素材からなる四角形状の外被材を用いて筒状形態とするとともに、当該筒状形態の内部に、前記連結部分の方向に沿い、かつ、一定間隔をもった複数の仕切り部により区画して両端が開口した複数の四角形状を呈する筒状個別収容部を形成しマット状に構成した四角形状の外装体と、繊維、綿、ポリエステル、レーヨン、麻、起毛生地、ちりめん、楊柳、タオル地、ナイロン、ポリ塩化ビニル等から選定される素材からなる保冷パック用封止材を用いて、平面から見て四角形状を呈し、かつ、四辺部を封止した袋体状に形成され、内部にジェル、ポリアクリル酸ナトリウム、硫酸アンモニウム、硫酸ナトリウム、グリセリン、水、防カビ剤を含む保冷媒体を封入し、前記外装体の前記各開口から各筒状個別収容部に並列に収納される複数の四角形状の保冷パック体と、前記外装体の四辺外周部を封止する逢着部と、を有する構成の基に、保冷パック体の保冷作用を利用して就寝時の身体の冷却用として好適に使用し得るとともに、使用感が良好であり、また、外装体に複数の筒状個別収容部を設け、保冷パック体を各筒状個別収容部に並列に収容するようにしているので、製造の簡略化を図ることもできるマット状保冷具を実現し提供することができる。
【００１０】
請求項３記載の考案によれば、請求項２記載の考案と同様な構成で、かつ、そのサイズを、枕用サイズ、シーツ用サイズ又はこれらの中間寸法のハーフサイズ、更にカーシートサイズや座布団サイズ、ワイン保冷用シートサイズ等のうちから選定されるサイズとしているので、請求項２記載の考案と同様な効果を発揮し、更には、カーシートの利用者、ワインの保冷等に適用でき、用途の多様化を図ることができるマット状保冷具を実現し提供できる。
【００１１】
請求項４記載の考案によれば、繊維、綿、ポリエステル、レーヨン、麻、起毛生地、ちりめん、楊柳、タオル地、ナイロン、ポリ塩化ビニル等から選定される素材からなる四角形状の外被材を用いてその対向する２辺を連結して筒状形態とするとともに、当該筒状形態の内部に、前記連結部分の方向に沿い、かつ、一定間隔をもった複数の仕切り部により区画して両端が開口した複数の四角形状を呈する筒状個別収容部を形成したマット状に形成され、枕用サイズ、シーツ用サイズ又はこれらの中間寸法のハーフサイズ、更にカーシートサイズや座布団サイズ、ワイン保冷用シートサイズ等のうちから選定されるサイズに構成した四角形状の外装体と、繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する四角形状の２枚の被覆材同士を、前記裏地同士を重ね合わせて裏地同士の高周波加熱により外周圧着部、内部領域の複数箇所の部分圧着部を有する袋体状に形成され、内部にジェル、ポリアクリル酸ナトリウム、硫酸アンモニウム、硫酸ナトリウム、グリセリン、水、防カビ剤を含む保冷媒体を封入し、前記外装体の前記各開口から各筒状個別収容部に並列に収納される複数の四角形状の保冷パック体と、前記外装体の四辺外周部を封止する逢着部と、を有する構成の基に、前記請求項３記載の考案と同様な効果を発揮し、用途の多様化を図ることができるマット状保冷具を実現し提供できる。
【００１２】
請求項５記載の考案によれば、請求項４記載の考案と同様な構成で、かつ、前記外装体の外形サイズを、横幅４０ｃｍ×縦幅３０ｃｍ若しくは横幅４０ｃｍ×縦幅４５ｃｍの枕用サイズ、横幅９０ｃｍ×縦幅１８０ｃｍのシーツ用サイズ、横幅９０ｃｍ×縦幅９０ｃｍのハーフサイズ、又は横幅９０ｃｍ×縦幅６０ｃｍ若しくは横幅９０ｃｍ×縦幅７５ｃｍのハーフサイズと枕用サイズとの間のサイズのいずれかとした構成の基に、保冷パック体の保冷作用を利用して就寝時の身体の頭部、腰や背中、又は、背中から足先のいずれかの箇所の冷却用として好適に使用し得るとともに、使用感が良好であり、また、外装体に複数の筒状個別収容部を設け、保冷パック体を各筒状個別収容部に並列に収容するようにしているので、製造の簡略化を図ることもできるマット状保冷具を実現し提供することができる。
【００１３】
請求項６記載の考案によれば、前記請求項１記載の考案と同様の効果を奏するとともに、使用者が各筒状個別収容部に対して例えば硬度の異なる硬軟の保冷媒体を封入した保冷パック体を適宜選択して組み合わせて自在に収納又は取り外しすることができ、これにより、使用者の好みに応じた使用感を実現できるマット状保冷具を実現し提供することができる。
【００１４】
請求項７記載の考案によれば、前記請求項６記載の考案と同様の効果を奏するとともに、使用者が外装体の一つの辺に設けた複数の挿脱口を利用して各筒状個別収容部に対して例えば硬度の異なる硬軟の保冷媒体を封入した保冷パック体を適宜選択して組み合わせて自在に収納又は取り外しすることができ、これにより、使用者の好みに応じた使用感を実現できるマット状保冷具を実現し提供することができる。
【００１５】
請求項８記載の考案によれば、前記請求項７記載の考案と同様の効果を奏するとともに、開閉可能な複数の挿脱口を有する開閉具を備えることから、使用者がマット状保冷具を使用している間に内部の保冷パック体が外部に飛び出してしまうというような不都合な事態を回避することができ、保冷機能を継続して維持することができるマット状保冷具を実現し提供することができる。
【００１６】
請求項９記載の考案によれば、中央仕切り部の両側に多数の保冷パック体を封入した構成の基に、請求項６記載の考案と同様の効果を奏するとともに、使用者が各筒状個別収容部に対して例えば硬度の異なる保冷媒体を封入した保冷パック体を適宜選択して組み合わせて自在に収納又は取り外しすることができ、これにより、使用者の好みに応じた使用感を実現できるマット状保冷具を実現し提供することができる。
【００１７】
請求項１０記載の考案によれば、前記請求項９記載の考案と同様な効果を奏するとともに、開閉可能な複数の挿脱口を有する開閉具を備えることから、使用者がマット状保冷具を使用している間に内部の保冷パック体が外部に飛び出してしまうというような不都合な事態を回避することができ、保冷機能を継続して維持することができるマット状保冷具を実現し提供することができる。
【図面の簡単な説明】
【００１８】
【図１】図１は本考案の実施例１に係るマット状保冷具の概略正面図である。
【図２】図２は本実施例１に係るマット状保冷具における外装体の製造工程中の２辺端縁同士を接合し連結部を形成する工程を示す説明図である。
【図３】図３は本実施例１に係るマット状保冷具における外装体の製造工程中の３個の四角形状を呈する筒状個別収容部を内部に形成する工程を示す説明図である。
【図４】図４は本実施例１に係るマット状保冷具における保冷パック体の概略正面図である。
【図５】図５は本実施例１に係るマット状保冷具における保冷パック体の概略拡大断面図である。
【図６】図６は本実施例１に係るマット状保冷具における外装体の筒状個別収容部に保冷パック体を挿入する工程を示す説明図である。
【図７】図７は本実施例１に係るマット状保冷具における外装体の筒状個別収容部に保冷パック体を挿入した状態を示す説明図である。
【図８】図８は本考案の実施例２に係るマット状保冷具の概略正面図である。
【図９】図９は本実施例２に係るマット状保冷具における外装体の製造工程中の２辺端縁同士を接合し連結部を形成する工程を示す説明図である。
【図１０】図１０は本実施例２に係るマット状保冷具における外装体の製造工程中の２個の四角形状を呈する筒状個別収容部を内部に形成する工程を示す説明図である。
【図１１】図１１は本実施例２に係るマット状保冷具における外装体の筒状個別収容部に保冷パック体を挿入する工程を示す説明図である。
【図１２】図１２は本実施例２に係るマット状保冷具における外装体の筒状個別収容部に保冷パック体を挿入した状態を示す説明図である。
【図１３】図１３は本考案の実施例３に係るマット状保冷具の概略正面図である。
【図１４】図１４は本実施例３に係るマット状保冷具における外装体の製造工程中の２辺端縁同士を接合し連結部を形成する工程を示す説明図である。
【図１５】図１５は本実施例３に係るマット状保冷具における外装体の製造工程中の１２個の四角形状を呈する筒状個別収容部を内部に形成する工程を示す説明図である。
【図１６】図１６は本考案の実施例４に係るマット状保冷具の概略正面図である。
【図１７】図１７は本実施例４に係るマット状保冷具における外装体の製造工程中の２辺端縁同士を接合し連結部を形成する工程を示す説明図である。
【図１８】図１８は本実施例４に係るマット状保冷具における外装体の製造工程中の６個の四角形状を呈する筒状個別収容部を内部に形成する工程を示す説明図である。
【図１９】図１９は本考案の実施例５に係るマット状保冷具の概略正面図である。
【図２０】図２０は本考案の実施例６に係るマット状保冷具の概略正面図である。
【図２１】図２１は本考案の実施例２に係るマット状保冷具の第１の応用例を示す概略面図である。
【図２２】図２２は本考案の実施例２に係るマット状保冷具の第２の応用例を示す概略拡大平面図である。
【図２３】図２３は本考案の実施例２に係るマット状保冷具の第２の応用例における多穴弾性体の部分拡大図である。
【図２４】図２４は本考案の実施例７に係るマット状保冷具の概略正面図である。
【図２５】図２５は本実施例７に係るマット状保冷具の変形例の概略正面図である。
【図２６】図２６は本実施例７に係るマット状保冷具の変形例における開閉具を示す概略斜視図である。
【図２７】図２７は本考案の実施例８に係るマット状保冷具の概略正面図である。
【図２８】図２８は本実施例８に係るマット状保冷具の変形例の概略正面図である。
【考案を実施するための形態】
【００１９】
本考案の保冷具は、使用者が就寝時に例えば頭部、背中等の冷却用として好適に使用し得るとともに、使用感が良好であり、しかも、製造容易な簡略構造からなるマット状保冷具を実現し提供するという目的を、繊維、綿、ポリエステル、レーヨン、麻、起毛生地、ちりめん、楊柳、タオル地、ナイロン、ポリ塩化ビニル等から選定した素材からなる四角形状の外被材を用いて筒状形態に形成するとともに、当該筒状形態の内部に、一定間隔をもった複数の仕切り部により区画して両端が開口した複数の四角形状を呈する筒状個別収容部を形成してマット状に構成した四角形状の外装体と、繊維、綿、ポリエステル、レーヨン、麻、起毛生地、ちりめん、楊柳、タオル地、ナイロン、ポリ塩化ビニル等から選定した素材からなる保冷パック用封止材を用いて平面から見て四角形状を呈し、かつ、四辺部を封止した袋体状に形成されて、内部にジェル、ポリアクリル酸ナトリウム、硫酸アンモニウム、硫酸ナトリウム、グリセリン、水、防カビ剤を含む保冷媒体を封入し、前記外装体の各開口から各筒状個別収容部に並列に収納される複数の四角形状の保冷パック体と、前記外装体の四辺外周部を封止する逢着部と、を有する構成により実現した。
【実施例１】
【００２０】
以下、本考案の実施例１に係るマット状保冷具について、図面を参照して詳細に説明する。
本実施例１に係るマット状保冷具１０は、図１に示すように、全体としてマット状に形成され、例えば横幅４０ｃｍ×縦幅４５ｃｍの枕用サイズに構成した四角形状の外装体２と、前記外装体２の四辺外周部を封止する逢着部１１と、外装体２内に並列配置に収納した例えば３個の四角形状の保冷パック体２１と、を有している。
【００２１】
前記外装体２は、図２、図３に示すように、例えば、綿材からなる四角形状の外被材６を用いてその横幅方向で対向する２辺を接合し縫製により連結して連結部３とし、これにより内部に前記連結部３に沿う方向の筒状形態部分を形成し、次いで、この筒状形態部分を前記連結部３の方向に沿い、かつ、一定間隔をもった縫製による仕切り部４により区画して両端が開口した複数の例えば３個の四角形状を呈する筒状個別収容部５を内部に形成している。
【００２２】
本実施例１では、上記筒状個別収容部５のサイズは、横幅ほぼ４０ｃｍ、縦幅ほぼ１５ｃｍとして形成している。
【００２３】
前記外装体２の外被材６の素材としては、例えば、綿材の他、繊維、ポリエステル、レーヨン、麻、起毛生地、ちりめん、楊柳、タオル地、ナイロン、ポリ塩化ビニル等の各種素材のなかから選定することができる。また、前記外装体２の外被材６としては、前記各種素材から選んだものを用いて例えば一枚構造、二枚重ね構造等を採用することができ、これらの点に関して特に限定するものではない。
【００２４】
前記保冷パック体２１は、図４、図５に示すように、例えば、綿材等からなる（外面側の）表地２３と、高周波加熱により溶着可能な非吸水性素材であるポリ塩化ビニルからなる（内面側の）裏地２４と、を有する四角形状の２枚の保冷パック用封止材を構成する被覆材２２、２２を、前記裏地２４同士を重ね合わせ、内部に詳細は後述する保冷媒体３１を封入して、高周波加熱により外周圧着部２５、内部領域における保冷媒体３１の流動を防ぐための複数箇所の部分圧着部２６を設けた平面から見て長方形状を呈する袋体状に形成している。
【００２５】
前記表地２３としては、例えば綿材の他、繊維、ナイロン、ポリエステル、レーヨン、麻、起毛生地、ちりめん、楊柳、タオル地等々の各種素材のなかから選定することができる。
前記保冷媒体３１の組成としては、ジェル、ポリアクリル酸ナトリウム、硫酸アンモニウム、硫酸ナトリウム、グリセリン、水、防カビ剤を含み、柔軟な性状を呈し保冷作用を発揮するものを挙ることができる。
【００２６】
前記保冷パック体２１のサイズは、例えば、前記筒状個別収容部５のほぼ全体を占めるサイズ、例えば横幅３８ｃｍ、縦幅１３ｃｍとし、また、その厚さは例えば３ｍｍから６ｍｍの範囲のものとしている。
【００２７】
そして、図６、図７に示すように、前記外装体２の開口部分から例えば３個の保冷パック体２１を各々筒状個別収容部５に装着し収納した状態とした後、前記外装体２の四辺全体にわたって側地を配置し、縫製加工により逢着（ヘム巻）することで四辺外周部を封止する逢着部１１を形成し、これにより、図１に示すような例えば枕用サイズのマット状保冷具１０を構成するものである。
【００２８】
上述した構成からなる枕用サイズのマット状保冷具１０によれば、枕用サイズに構成した四角形状の外装体２における両側が開口した３個の筒状個別収容部５に前記保冷パック体２１を各々装着して収納し、外装体２の四辺を逢着部１１により封止するという極めて簡略な製造工程の基に、このマット状保冷具１０を製造できる。
【００２９】
従って、上述した本実施例１によれば、前記保冷パック体２１の保冷作用を利用して就寝時の頭部の冷却用として好適に使用し得るとともに、使用感が良好であり、また、製造容易な構造からなる例えば枕用サイズのマット状保冷具１０を実現し提供することができる。
【実施例２】
【００３０】
次に、本考案の実施例２に係るマット状保冷具１について、図８乃至図１２を参照して詳細に説明する。
本実施例２に係るマット状保冷具１は、図８に示すように、全体としてマット状に形成され、例えば横幅４０ｃｍ×縦幅３０ｃｍの枕用サイズに構成した四角形状の外装体２と、前記外装体２の四辺外周部を封止する逢着部１１と、外装体２内に並列配置に収納した例えば２個の四角形状の保冷パック体２１と、を有している。
【００３１】
前記外装体２は、図９、図１０に示すように、例えば、綿材からなる四角形状の外被材６を用いてその横幅方向で対向する２辺の端縁を接合し縫製により連結して連結部３とし、これにより内部に前記連結部３に沿う方向の筒状形態部分を形成し、次いで、この筒状形態部分を前記連結部３の方向に沿い、かつ、一定間隔をもった縫製による仕切り部４により区画して両端が開口した複数の、この場合は２個の四角形状を呈する筒状個別収容部５を内部に形成している。
【００３２】
図示例における筒状個別収容部５のサイズは、横幅ほぼ４０ｃｍ、縦幅ほぼ１５ｃｍとなるものである。
【００３３】
前記外装体２の素材としては、綿材の他、繊維、ポリエステル、レーヨン、麻、起毛生地、ちりめん、楊柳、タオル地、ナイロン、ポリ塩化ビニル等の各種素材のなかから選定することができる。
【００３４】
前記保冷パック体２１の構成は、実施例１において既述した図４、図５に示す場合と同様である。
【００３５】
そして、図１１、図１２に示すように、前記外装体２の開口部分から２個の保冷パック体２１を各々筒状個別収容部５に装着し収納した状態とした後、前記外装体２の四辺全体にわたって側地を配置し、縫製加工により逢着（ヘム巻）することで四辺外周部を封止する逢着部１１を形成し、これにより、図８に示すような枕用サイズのマット状保冷具１を構成するものである。
【００３６】
上述した構成からなる例えば枕用サイズのマット状保冷具１によれば、枕用サイズに構成した四角形状の外装体２における両側が開口した２個の筒状個別収容部５に前記保冷パック体２１を各々装着して収納し、外装体２の四辺を逢着部１１により封止するという極めて簡略な製造工程の基に、このマット状保冷具１を製造できる。
【００３７】
従って、上述した本実施例１によれば、前記保冷パック体２１の保冷作用を利用して就寝時の頭部の冷却用として好適に使用し得るとともに、使用感が良好であり、また、製造容易な構造からなる枕用サイズのマット状保冷具１を実現し提供することができる。
【実施例３】
【００３８】
次に、本考案の実施例３に係るマット状保冷具１Ａについて、図１３乃至図１５を参照して説明する。
【００３９】
本実施例３に係るマット状保冷具１Ａは、基本的構成には実施例１の場合と同様であるが、図１３に示すように、全体としてマット状に形成され、例えば横幅９０ｃｍ×縦幅１８０ｃｍのシーツ用サイズに構成した四角形状の外装体２Ａと、前記外装体２Ａの四辺外周部を封止する逢着部１１Ａと、外装体２Ａ内の１２個の筒状個別収容部５内に並列配置に収納した例えば１２個の四角形状の保冷パック体２１と、を有する構成としたことが特徴である。
【００４０】
前記外装体２Ａは、図１４、図１５に示すように、例えば、綿材からなる四角形状の外被材６を用いてその横幅方向で対向する２辺の端縁を接合し縫製により連結して連結部３とし、これにより内部に前記連結部３に沿う方向の筒状形態部分を形成し、次いで、この筒状形態部分を前記連結部３の方向に沿い、かつ、一定間隔をもった縫製による仕切り部４により区画して両端が開口した複数の、この場合は１２個の四角形状を呈する筒状個別収容部５を内部に形成している。
【００４１】
そして、前記外装体２Ａ内の１２個の筒状個別収容部５内に、既述した図１１、図１２に示す場合と同様にして１２個の保冷パック体２１を各々装着して収納し、外装体２Ａの四辺を逢着部１１Ａにより封止することで本実施例３に係るマット状保冷具１Ａを構成するものである。
【００４２】
上述した構成からなるシーツサイズのマット状保冷具１Ａによれば、例えばシーツ用サイズに構成した四角形状の外装体２Ａにおける両側が開口した１２個の筒状個別収容部５に前記保冷パック体２１を各々装着して収納し、外装体２Ａの四辺を逢着部１１Ａにより封止するという極めて簡略な製造工程の基に、このマット状保冷具１Ａを製造できる。
【００４３】
従って、上述した本実施例３によれば、前記保冷パック体２１の保冷作用を利用して就寝時の身体全体の冷却用として好適に使用し得るとともに、使用感が良好であり、また、製造容易な構造からなるシーツ用サイズのマット状保冷具１Ａを実現し提供することができる。
【実施例４】
【００４４】
次に、本考案の実施例４に係るマット状保冷具１Ｂについて、図１６乃至図１８を参照して説明する。
【００４５】
本実施例４に係るマット状保冷具１Ｂは、基本的構成には実施例１の場合と同様であるが、図１６に示すように、全体としてマット状に形成され、例えば横幅９０ｃｍ×縦幅９０ｃｍのハーフサイズに構成した四角形状の外装体２Ｂと、前記外装体２Ｂの四辺外周部を封止する逢着部１１Ｂと、外装体２Ｂ内に並列配置に収納した例えば６個の四角形状の保冷パック体２１と、を有する構成としたことが特徴である。
【００４６】
すなわち、本実施例４に係るマット状保冷具１Ｂは、前記実施例２のマット状保冷具１と、実施例３のマット状保冷具１Ａとの中間のサイズとしたものである。
【００４７】
前記外装体２Ｂは、図１７、図１８に示すように、例えば、綿材からなる四角形状の外皮材６を用いてその横幅方向で対向する２辺の端縁を接合し縫製により連結して連結部３とし、これにより内部に前記連結部３に沿う方向の筒状形態部分を形成し、次いで、この筒状形態部分を前記連結部３の方向に沿い、かつ、一定間隔をもった縫製による仕切り部４により区画して両端が開口した複数の、この場合は例えば６個の四角形状を呈する筒状個別収容部５を内部に形成している。
【００４８】
そして、前記外装体２Ｂ内の６個の筒状個別収容部５内に、既述した図１１、図１２に示す場合と同様にして６個の保冷パック体２１を各々装着して収納し、外装体２Ｂの四辺を逢着部１１Ｂにより封止することで本実施例３に係るマット状保冷具１Ｂを構成するものである。
【００４９】
上述した構成からなるハーフサイズのマット状保冷具１Ｂによれば、ハーフサイズに構成した四角形状の外装体２Ｂにおける両側が開口した６個の筒状個別収容部５に前記保冷パック体２１を各々装着して収納し、外装体２Ａの四辺を逢着部１１Ｂにより封止するという極めて簡略な製造工程の基に、このマット状保冷具１Ｂを製造できる。
【００５０】
従って、上述した本実施例４によれば、前記保冷パック体２１の保冷作用を利用して就寝時の身体の例えば肩、腰等のような上半身の冷却用として好適に使用し得るとともに、使用感が良好であり、また、製造容易な構造からなるハーフサイズのマット状保冷具１Ｂを実現し提供することができる。
【実施例５】
【００５１】
次に、本考案の実施例５に係るマット状保冷具１Ｃについて、図１９を参照して説明する。
【００５２】
図１９に示す実施例５のマット状保冷具１Ｃは、実施例１のマット状保冷具１０と同様な構成であるが、全体としてマット状に形成され、例えば横幅９０ｃｍ×縦幅６０ｃｍのハーフサイズと枕用サイズとの間のサイズに構成した四角形状の外装体２Ｂと、前記外装体２Ｂの四辺外周部を封止する逢着部１１Ｂと、外装体２Ｂ内に並列配置に収納した例えば４個の四角形状の保冷パック体２１と、を有する構成としたことが特徴である。
【００５３】
上述した構成からなるハーフサイズのマット状保冷具１Ｃによれば、ハーフサイズと枕用サイズとの間のサイズに構成した四角形状の外装体２Ｂにおける両側が開口した４個の筒状個別収容部５に前記保冷パック体２１を各々装着して収納し、外装体２Ｂの四辺を逢着部１１Ｂにより封止するという極めて簡略な製造工程の基に、このマット状保冷具１Ｃを製造できる。
【００５４】
従って、上述した本実施例５によれば、前記保冷パック体２１の保冷作用を利用して就寝時の身体の例えば肩、腰等のような上半身の冷却用として好適に使用し得るとともに、使用感が良好であり、また、製造容易な構造からなるハーフサイズと枕用サイズとの間のサイズのマット状保冷具１Ｃを実現し提供することができる。
【実施例６】
【００５５】
次に、本考案の実施例６に係るマット状保冷具１Ｄについて、図２０を参照して説明する。
【００５６】
図２０に示す実施例５のマット状保冷具１Ｃは、実施例１のマット状保冷具１０と同様な構成であるが、全体としてマット状に形成され、例えば横幅９０ｃｍ×縦幅７５ｃｍのハーフサイズと枕用サイズとの間のサイズに構成した四角形状の外装体２Ｂと、前記外装体２Ｂの四辺外周部を封止する逢着部１１Ｂと、外装体２Ｂ内に並列配置に収納した例えば５個の四角形状の保冷パック体２１と、を有する構成としたことが特徴である。
【００５７】
上述した構成からなるハーフサイズのマット状保冷具１Ｄによれば、実施例５の場合と同様に、ハーフサイズと枕用サイズとの間のサイズに構成した四角形状の外装体２Ｂにおける両側が開口した例えば５個の筒状個別収容部５に前記保冷パック体２１を各々装着して収納し、外装体２Ｂの四辺を逢着部１１Ｂにより封止するという極めて簡略な製造工程の基に、このマット状保冷具１Ｄを製造できる。
【００５８】
従って、上述した本実施例６によれば、前記保冷パック体２１の保冷作用を利用して就寝時の身体の例えば肩、腰等のような上半身の冷却用として好適に使用し得るとともに、使用感が良好であり、また、製造容易な構造からなるハーフサイズと枕用サイズとの間のサイズのマット状保冷具１Ｄを実現し提供することができる。
【００５９】
次に、本考案の前記既述した実施例２に係るマット状保冷具１の応用例について説明する。
【００６０】
図２１は、第１の応用例を示すものであり、上述した実施例２のマット状保冷具１の例えば一面に、毛細管現象を発揮する個々の原糸を多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成した四角形としたシート状吸汗消臭材４１を重合して、これらの四辺を逢着部１１により一体化させたものである。
【００６１】
前記シート状吸汗消臭材４１は、毛細管現象を発揮する個々の例えばポリエステル製の原糸を、多数の微細隙間（数ミクロンｍ〜１０数μｍ）を有しつつ織り込んだ吸汗性、速乾性を有する吸汗・速乾繊維（東レ（株）：セオα（登録商標））と、耐久性に優れたポリエステル製の芯材の回りに予め光触媒反応による消臭作用を発揮する消臭剤を練り込んだナイロン製の外周材を被せて鞘芯型に形成した消臭繊維（クラレ（株）：シャインアップ（登録商標））と、を織り上げて多数の凹凸部が連続するワッフル地状としたものである。
【００６２】
前記吸汗・速乾繊維は、通常のポリエステル繊維の約２倍の吸水性、綿の７倍以上の速乾性を有するものである。
【００６３】
前記光触媒反応による消臭作用を発揮する消臭剤は、例えば四価金属のリン酸塩及び二価金属の水酸化物等の吸着剤と、酸化チタンや酸化亜鉛などの光触媒機能を有する光触媒とを包含するものである。
【００６４】
図２１に示す構成によれば、実施例２のマット状保冷具１の場合と同様な作用、効果を発揮するとともに、前記シート状吸汗消臭材４１によって、例えば夏季等の高温の季節における就寝者の頭部から放出される汗成分を素早く吸収乾燥し、更にその成分を吸着し光触媒反応により分解して無臭化する、すなわち、消臭するという効果をも発揮させることができる。
【００６５】
なお、既述した実施例１に係るマット状保冷具１０、実施例３に係るマット状保冷具１Ａ、実施例４に係るマット状保冷具１Ｂ、実施例５に係るマット状保冷具１Ｃ、実施例６に係るマット状保冷具１Ｄに関しても、前記シート状吸汗消臭材４１を付加した構成とすることも勿論可能であり、これらの場合も図２１に示す構成の場合と同様な効果を発揮させることができる。
【００６６】
図２２は、第２の応用例を示すものであり、上述した実施例２のマット状保冷具１の例えば一面に、多穴弾性体５１を重合して、これらの四辺を逢着部１１により一体化させたものである。
【００６７】
前記多穴弾性体５１は、図２２、図２３に示すように、例えば六角形状、円形状、楕円形状、四角形状、菱形状のような形状から選定される多数の穴５２が連続して連なる形態の矩形シート状の例えばポリエステル材又はナイロン材のような網目状表地５３及び網目状裏地５４を対向配置とし、図２３に示すように、前記網目状表地５３、網目状裏地５４の対向する網材５３ａ、５４ａ間を各々間隔を隔て多数の弾性連結糸材５５（弾性連結糸材群）により連結することにより、前記網目状表地５３、網目状裏地５４間に弾性（バネ性）及び通気性を持たせた構成となっている。
【００６８】
前記弾性連結糸材５５としては、例えばナイロン又はテフロン（登録商標）のような材質からなるモノフィラメント又はマルチフィラメントを採用している。前記多穴弾性体５１の厚さは、例えば３〜２０ｍｍに設定する。
【００６９】
前記網材５３ａ、５４ａ間を各々間隔を隔て連結する前記弾性連結糸材５５の連結態様は、例えば、ストレート、クロス、ストレート・クロス混合の各態様を挙げることができる。
【００７０】
そして、前記マット状保冷具１の四辺外周部、及び前記多穴弾性体５１の四辺外周部を重ね合わせ、これらの四辺を逢着部１１により一体化させたものである。
【００７１】
図２２に示す構成によれば、実施例１のマット状保冷具１の場合と同様な作用、効果を発揮するとともに、前記多穴弾性体５１が就寝者の頭部の重量によって適度に撓むことから、心地よく就寝者の頭部にフィットし使用感が極めて良好になるという効果をも発揮させることができる。
【００７２】
なお、既述した実施例１に係るマット状保冷具１０、実施例３に係るマット状保冷具１Ａ、実施例４に係るマット状保冷具１Ｂ、実施例５に係るマット状保冷具１Ｃ、実施例６に係るマット状保冷具１Ｄに関しても、前記多穴弾性体５１を付加した構成とすることも勿論可能であり、これらの場合も図２２に示す構成の場合と同様な効果を発揮させることができる。
【００７３】
次に、本考案の実施例７に係るマット状保冷具１Ｅについて、図２４を参照して説明する。
【００７４】
本実施例７に係るマット状保冷具１Ｅは、基本的構成は既述した実施例１の枕用サイズのマット状保冷具１０とほぼ同様な構成であるため、実施例１の場合と同一の要素には同一の符号を付し、その詳細説明は省略する。
【００７５】
本実施例７に係るマット状保冷具１Ｅは、図２４に示すように、前記外装体２の四辺のうち、前記各袋状個別収容部５の各一辺側を除く三辺の外周部を封止する逢着部１１Ｃを設けたこと、保冷パック体２１に封入する夫々の各保冷媒体３１として、硬さが硬軟（柔軟）に異なる複数（硬度）の保冷媒体群のうちから使用者によって自在に選定される硬い保冷媒体３１〜柔らかい保冷媒体３１を用いることができるようにしたこと、及び前記四角形状の外装体２の残る一辺側を前記複数の保冷パック体２１用の複数の挿脱口６１としたことが特徴であり、この他の構成は実施例１のマット状保冷具１０の場合と同様である。
【００７６】
本実施例７に係るマット状保冷具１Ｅによれば、実施例１のマット状保冷具１０の場合と同様の作用効果を発揮させることができる。
【００７７】
また、本実施例７に係るマット状保冷具１Ｅによれば、外装体２の前記一辺側に前記複数の保冷パック体２１用の複数の挿脱口６１を設け、この複数の挿脱口６１を利用して保冷パック体２１を挿脱可能としたものであるから、各袋状個別収容部５に対して、硬さが硬軟（柔軟）に異なる複数（硬度）の保冷媒体群のうちから使用者によって自在に選定される硬い保冷媒体３１を封入した保冷パック体２１〜柔らかい保冷媒体３１を封入した保冷パック体２１を、適宜選択して組み合わせて収容することができ、これにより、使用者の好みに応じた使用感を実現できるマット状保冷具１Ｅとすることができる。なお、本実施例７に係るマット状保冷具１Ｅの縦、横の各サイズは問わない。
【００７８】
例えば、使用者が、硬度が柔らかい枕を欲したいような場合には、マット状保冷具１Ｅ内の３個の保冷パック体２１のうちの特に頭部に当たる部分の保冷パック体２１として、他の部分と異なる硬度の柔らかい保冷媒体３１を封入した保冷パック体２１を用いる等の例を挙ることができる。
【００７９】
次に、本実施例７に係るマット状保冷具１Ｅの変形例のマット状保冷具１Ｆについて図２５を参照して説明する。
【００８０】
図２５に示すマット状保冷具１Ｆは、基本的構成は実施例７に係るマット状保冷具１Ｅの場合と同様であるが、前記マット状保冷具１Ｅの構成に加えて、前記外装体２の残る一辺側に、例えばマジックテープ（登録商標）のような公知の面ファスナ７１を用いた開閉具６２を例えば逢着により配置し、前記複数の保冷パック体２１用の複数の挿脱口６１と連通する開閉可能な複数の挿脱口６３を形成したことが特徴である。面ファスナ７１の替わりに、ジッパー等の線ファスナを用いた開閉具６２とすることも勿論可能である。上記逢着は、舌片（図示せず）を折り返して逢着するようにしても良い。
【００８１】
前記開閉具６２を構成する面ファスナ７１は、図２６に示すように、一対の帯状の布材７２、７２の相対向する面の一方に起毛されたフック部７３を、他方側に密集して起毛されたループ部７４を設け、両者を押し付け又は離脱することで貼り付けたり又は剥がしたりすることが可能な構造となっている。
【００８２】
図２５に示す実施の変形例のマット状保冷具１Ｆによれば、実施例１のマット状保冷具１０、実施例７のマット状保冷具１Ｅの場合と同様な作用効果を発揮させることができ、また、開閉可能な複数の挿脱口６３を有する開閉具６２を備えることから、開閉具６２の挿脱口６３を閉状態とすることで、使用者がマット状保冷具１Ｆを使用している間に内部の保冷パック体２１が外部に飛び出してしまうというような不都合な事態を回避することができ、マット状保冷具１Ｆの使用者に対する保冷機能を継続して維持することができる。
【００８３】
次に、本考案の実施例８に係るマット状保冷具１Ｇについて、図２７を参照して説明する。
【００８４】
本実施例８に係るマット状保冷具１Ｇは、既述した実施例４に係るマット状保冷具１Ｂの場合と同様、全体としてマット状に形成され、例えば横幅９０ｃｍ×縦幅９０ｃｍのハーフサイズに構成したものである。なお、本実施例７に係るマット状保冷具１Ｇの全体の縦、横の各サイズは問わない。
【００８５】
本実施例８に係るマット状保冷具１Ｇにおいて、実施例４の場合と同一の要素には同一の符号を付し、その詳細説明は省略する。
【００８６】
本考案の実施例８に係るマット状保冷具１Ｇは、図２７に示すように、布製又は合成樹脂製で四角形状の外被材６を用いてその対向する２辺同士を連結して袋状とするとともに、袋状部分を前記連結部分に沿う方向で、一定間隔をもった複数の仕切り部４と、前記連結部分の中央位置でかつ前記連結部分に直交する方向で一定間隔をもった中央仕切り部４ａと、により区画して中央仕切り部４ａを挟む両端が開口した複数の四角形状を呈する中央仕切り部４ａの両側に列設状態の形態の合計１０個の袋状個別収容部５を内部に形成し、マット状に構成した四角形状の外装体８１を具備すること、保冷パック体２１に封入する夫々の各保冷媒体３１として、硬さが硬軟（柔軟）に異なる複数（硬度）の保冷媒体群のうちから使用者によって自在に選定される硬い保冷媒体３１〜柔らかい保冷媒体３１を用いることができるようにしたこと、更に、前記外装体８１の四辺のうち、前記連結部分及びこの連結部分の反対側の辺部の外周部を封止する逢着部８２を具備し、外装体８１の残る二辺側を前記複数の保冷パック体２１用の複数の挿脱口８３としたことが特徴である。
【００８７】
本実施例８に係るマット状保冷具１Ｇによれば、実施例４のマット状保冷具１Ｂの場合と同様の作用効果を発揮させることができる。
【００８８】
また、本実施例８に係るマット状保冷具１Ｇによれば、外装体８１の両辺側に前記複数の保冷パック体２１用の複数の挿脱口８３を設け、この複数の挿脱口８３を利用して保冷パック体２１を挿脱可能としたものであるから、各袋状個別収容部５に対して、硬さが硬軟（柔軟）に異なる複数（硬度）の保冷媒体群のうちから使用者によって自在に選定される硬い保冷媒体３１を封入した保冷パック体２１〜柔らかい保冷媒体３１を封入した保冷パック体２１を適宜選択して組み合わせ収容することができ、これにより、使用者の好みに応じた使用感を実現できるマット状保冷具１Ｇとすることができる。
【００８９】
例えば、このマット状保冷具１Ｇをベッド等の上に敷き、ハーフサイズのシーツとし使用する際に、使用者が腰が痛いような場合には、マット状保冷具１Ｇにおける腰に当たる箇所の保冷パック体２１として、他の部分と異なる硬度の柔らかい保冷媒体３１を封入した保冷パック体２１を用いる等の例を挙ることができる。
【００９０】
次に、本実施例８に係るマット状保冷具１Ｇの変形例のマット状保冷具１Ｈについて図２８を参照して説明する。
【００９１】
図２８に示すマット状保冷具１Ｈは、基本的構成は実施例８に係るマット状保冷具１Ｇの場合と同様であるが、前記マット状保冷具１Ｇの構成に加えて、前記外装体８１の四辺のうち、残る二辺に各々例えば前記開閉具６２と同様な構成からなる開閉具６２ａ、６２ａを例えば逢着により配置し、前記各挿脱口８３と連通する保冷パック体２１用の複数の開閉可能な挿脱口８４を設けたことが特徴である。
【００９２】
図２８に示す実施の変形例のマット状保冷具１Ｈによれば、実施例４のマット状保冷具１Ｂ、実施例８のマット状保冷具１Ｇの場合と同様な作用効果を発揮させることができ、特に、開閉可能な複数の挿脱口８４を有する開閉具６２ａ、６２ａを備えることから、各開閉具６２ａの挿脱口８４を閉状態とすることで、使用者がマット状保冷具１Ｇをベッド上で使用し就寝している間に内部の保冷パック体２１が外部に飛び出してしまうというような不都合な事態を回避することができ、マット状保冷具１Ｇの使用者に対する保冷機能を継続して維持することができる。上記開閉具６２ａ、６２ａは、舌片（図示せず）を折り返して開閉するようにしても良い。
【００９３】
上述した実施例７及びその変形例のマット状保冷具１Ｅ、１Ｆは、既述したような構成とする他、前記外装体２の外形サイズを、横幅９０ｃｍ×縦幅１８０ｃｍのシーツ用サイズ、横幅９０ｃｍ×縦幅９０ｃｍのハーフサイズ、又は、横幅９０ｃｍ×縦幅６０ｃｍ若しくは横幅９０ｃｍ×縦幅７５ｃｍのハーフサイズと枕用サイズとの間のサイズのいずれかに構成できることは勿論である。更に、上述した実施例７及びその変形例のマット状保冷具１Ｅ、１Ｆは、図２１に示すシート状吸汗消臭材４１を付加した構成とすることも可能である。
【００９４】
また、上述した実施例８及びその変形例のマット状保冷具１Ｇ、１Ｈは、既述したような構成とする他、前記外装体８１の外形サイズを、横幅４０ｃｍ×縦幅３０ｃｍ若しくは横幅４０ｃｍ×縦幅４５ｃｍの枕用サイズ、横幅９０ｃｍ×縦幅１８０ｃｍのシーツ用サイズ、又は、横幅９０ｃｍ×縦幅６０ｃｍ若しくは横幅９０ｃｍ×縦幅７５ｃｍのハーフサイズと枕用サイズとの間のサイズのいずれかに構成できることは勿論である。更に、上述した実施例８及びその変形例のマット状保冷具１Ｇ、１Ｈは、図２１に示すシート状吸汗消臭材４１を付加した構成とすることも可能である。
【産業上の利用可能性】
【００９５】
本考案のマット状保冷具は、上述したように主に就寝時に用いる他、夏場等における疲労回復用、スポーツ後の休息用等として広範な用途に適用可能である。
【符号の説明】
【００９６】
１０    マット状保冷具
１    マット状保冷具
１Ａ  マット状保冷具
１Ｂ  マット状保冷具
１Ｃ  マット状保冷具
１Ｄ  マット状保冷具
１Ｅ  マット状保冷具
１Ｆ  マット状保冷具
１Ｇ  マット状保冷具
１Ｈ  マット状保冷具
２    外装体
２Ａ  外装体
２Ｂ  外装体
３    連結部
４    仕切り部
４ａ  中央仕切り部
５    筒状個別収容部
６    外被材
１１    逢着部
１１Ａ  逢着部
１１Ｂ  逢着部
１１Ｃ  逢着部
２１    保冷パック体
２２    被覆材
２３    表地
２４    裏地
２５    外周圧着部
２６    部分圧着部
３１    保冷媒体
４１    シート状吸汗消臭材
５１    多穴弾性体
５２    穴
５３    網目状表地
５３ａ  網材
５４    網目状裏地
５４ａ  網材
５５    弾性連結糸材
６１    挿脱口
６２    開閉具
６２ａ  開閉具
６３    挿脱口
７１    面ファスナ
７２    布材
７３    フック部
７４    ループ部
８１    外装体
８２    逢着部
８３    挿脱口
８４    挿脱口
【図１】
0003167422.tif 000003
【図２】
0003167422.tif 000004
【図３】
0003167422.tif 000005
【図４】
0003167422.tif 000006
【図５】
0003167422.tif 000007
【図６】
0003167422.tif 000008
【図７】
0003167422.tif 000009
【図８】
0003167422.tif 000010
【図９】
0003167422.tif 000011
【図１０】
0003167422.tif 000012
【図１１】
0003167422.tif 000013
【図１２】
0003167422.tif 000014
【図１３】
0003167422.tif 000015
【図１４】
0003167422.tif 000016
【図１５】
0003167422.tif 000017
【図１６】
0003167422.tif 000018
【図１７】
0003167422.tif 000019
【図１８】
0003167422.tif 000020
【図１９】
0003167422.tif 000021
【図２０】
0003167422.tif 000022
【図２１】
0003167422.tif 000023
【図２２】
0003167422.tif 000024
【図２３】
0003167422.tif 000025
【図２４】
0003167422.tif 000026
【図２５】
0003167422.tif 000027
【図２６】
0003167422.tif 000028
【図２７】
0003167422.tif 000029
【図２８】
0003167422.tif 000030